(57)【要約】      （修正有）【課題】ボールジョイント構造の耐重量性が高い水中撮影機器用アームシステムを提供する。【解決手段】一端にボール状端部材５ａを、他端に照明器具連結部５ｂを具備し、両ボールアーム４の他端に一端側を回転・固定可能なボールジョイント構造２０で連結される撮影補助機器用取り付け用のヘッドアーム５と、を有し、ボールジョイント構造２０は、隣り合う一対のボール状端部材を一定間隔を隔てつつ対向配置で挟み、その外周に接触させる硬質ゴムからなる面状押圧部材を保持した一対の押圧体６ａと、一対の押圧体６ａに貫通配置した貫通ネジ体７と、そのネジ部に螺合し、一対の押圧体６ａを隣り合う一対のボール状端部材に締め付けて、各面状押圧部材を一対のボール状端部材に押圧接触させる締め付け具９と、を有するものである。【選択図】図１
2009288594.tif 000002
【特許請求の範囲】
【請求項１】
連結すべきアーム同士の各端部に設けたボール状端部材を回転・固定可能に連結するボールジョイント構造であって、
連結すべき一対のボール状端部材を一定間隔を隔てつつ外側から対向配置で挟み込むとともに、前記ボール状端部材の外周に接触させる硬質ゴムからなる面状押圧部材を保持した一対の押圧体と、
前記一対の押圧体に貫通配置した貫通ネジ体と、
前記貫通ネジ体のネジ部に螺合し、前記一対の押圧体を一対のボール状端部材を挟み込む状態で締め付けて、前記各面状押圧部材を一対のボール状端部材に押圧接触させる締め付け具と、
を有することを特徴とするボールジョイント構造。
【請求項２】
連結すべきアーム同士の各端部に設けたボール状端部材を回転・固定可能に連結するボールジョイント構造であって、
連結すべき一対のボール状端部材を一定間隔を隔てつつ外側から対向配置で挟み込むとともに、前記ボール状端部材の外周に接触させる硬質ゴムからなる面状押圧部材を保持した一対の押圧体と、
前記一対の押圧体の中央部に対応配置に設けた孔部を貫通し、頭部を一方の押圧体の外面に当接させ、ネジ部先端側を他方の押圧体より外方に突出させる貫通ネジ体と、
前記貫通ネジ体のネジ部に螺合し、前記他方の押圧体を一方の押圧体側に締め付けて前記各面状押圧部材を一対のボール状端部材に押圧接触させる締め付け具と、
前記一対の押圧体の間に配置され、一対の押圧体に離間する方向の付勢力を与えるバネ体と、
を有することを特徴とするボールジョイント構造。
【請求項３】
水中カメラ、カメラ内蔵ハウジング等の水中撮影機器の底部に固定取り付けするベースプレートと、
前記ベースプレートの端部にスライド可能に締め付け取り付けるとともに、一端からボール状端部材を突出させたスライド固定ブラケットと、
両端にボール状端部材を具備し、スライド固定ブラケットに一端を回転・固定可能なボールジョイント構造で連結される両ボールアームと、
一端にボール状端部材を、他端に照明器具連結部を具備し、前記両ボールアームの他端に一端側を回転・固定可能なボールジョイント構造で連結される撮影補助機器用取り付け用のヘッドアームと、
を有するボールジョイント構造を備える水中撮影機器用アームシステムであって、
前記ボールジョイント構造は、
連結すべき前記一対のボール状端部材を一定間隔を隔てつつ外側から対向配置で挟み込むとともに、前記ボール状端部材の外周に接触させる硬質ゴムからなる面状押圧部材を保持した一対の押圧体と、
前記一対の押圧体に貫通配置した貫通ネジ体と、
前記貫通ネジ体のネジ部に螺合し、前記一対の押圧体を一対のボール状端部材を挟み込む状態で締め付けて、前記各面状押圧部材を一対のボール状端部材に押圧接触させる締め付け具と、
を有することを特徴とするボールジョイント構造を備える水中撮影機器用アームシステム。
【請求項４】
水中カメラ、カメラ内蔵ハウジング等の水中撮影機器の底部に固定取り付けするベースプレートと、
前記ベースプレートの端部にスライド可能に締め付け取り付けるとともに、一端からボール状端部材を突出させたスライド固定ブラケットと、
両端にボール状端部材を具備し、スライド固定ブラケットに一端を回転・固定可能なボールジョイント構造で連結される両ボールアームと、
一端にボール状端部材を、他端に照明器具連結部を具備し、前記両ボールアームの他端に一端側を回転・固定可能なボールジョイント構造で連結される撮影補助機器用取り付け用のヘッドアームと、
を有するボールジョイント構造を備える水中撮影機器用アームシステムであって、
前記ボールジョイント構造は、
連結すべき一対のボール状端部材を一定間隔を隔てつつ外側から対向配置で挟み込むとともに、前記ボール状端部材の外周に接触させる硬質ゴムからなる面状押圧部材を保持した一対の押圧体と、
前記一対の押圧体の中央部に対応配置に設けた孔部を貫通し、頭部を一方の押圧体の外面に当接させ、ネジ部先端側を他方の押圧体より外方に突出させる貫通ネジ体と、
前記貫通ネジ体のネジ部に螺合し、前記他方の押圧体を一方の押圧体側に締め付けて前記各面状押圧部材を一対のボール状端部材に押圧接触させる締め付け具と、
前記一対の押圧体の間に配置され、一対の押圧体に離間する方向の付勢力を与えるバネ体と、
を有することを特徴とするボールジョイント構造を備える水中撮影機器用アームシステム。
【発明の詳細な説明】
【技術分野】
【０００１】
本発明は、アーム同士のボールジョイント構造及び該ボールジョイント構造を備える水中撮影機器用アームシステムに関するものである。
【背景技術】
【０００２】
従来、水中カメラ、カメラ内蔵ハウジング等の水中撮影機器においては、水中での魚類や水中植物等を撮影する際に、陸上撮影時よりも光量が少ないことを補うために、水中撮影機器に対してターゲットライト、ビデオライト等の撮影補助機器を取り付けるためのアームシステムが多く用いられている。
【０００３】
このようなアームシステムの従来例について、図４乃至図６を参照して説明する。
【０００４】
図４に示す従来のアームシステム５１は、水中カメラ、カメラ内蔵ハウジング等の水中撮影機器の底部に固定取り付けするベースプレート５２と、前記ベースプレート５２の端部にスライド可能に締め付け取り付けるとともに、一端からボール状端部材５３ａを突出させたスライド固定ブラケット５３と、両端にボール状端部材５４ａ、５４ｂを具備し、スライド固定ブラケット５３に一端を回転・固定可能なボールジョイント構造６０で連結される両ボールアーム５４と、一端にボール状端部材５５ａを、他端に照明器具連結部５５ｂを具備し、前記両ボールアーム５４の他端に一端側を回転・固定可能なボールジョイント構造６０で連結されるターゲットライト等の撮影補助機器取り付け用のヘッドアーム５５と、を有している。
【０００５】
前記両ボールアーム５４と、ヘッドアーム５５とを連結するボールジョイント構造６０の具体例を図５、図６に拡大して示す。
【０００６】
このボールジョイント構造６０は、図５、図６に示すように、連結すべき一対のボール状端部材５４ｂ、５５ａを一定間隔を隔てつつ外側から対向配置で挟み込むとともに、前記ボール状端部材５４ｂ、５５ａの外周に接触させる例えば四角板状の一対の押圧体６１ａ、６１ｂと、前記一対の押圧体６１ａ、６１ｂの中央部に対応配置に設けた孔部を貫通し、頭部を一方の押圧体６１ａの外面に当接させ、ネジ部６２ａの先端側を他方の押圧体６１ｂより外方に突出させる貫通ネジ体６２と、前記貫通ネジ体６２のネジ部６２ａに螺合し、前記他方の押圧体６１ｂを一方の押圧体６１ａ側に締め付けて、一対のボール状端部材５４ｂ、５５ａを一対の押圧体６１ａ、６１ｂに固定する締め付け具６３と、前記一対の押圧体６１ａ、６１ｂの間に配置され、一対の押圧体６１ａ、６１ｂに離間する方向の付勢力を与えるバネ体６４と、を有している。
【０００７】
前記スライド固定ブラケット５３、両ボールアーム５４間のボールジョイント構造６０も上述した場合と同様な構成としている。
【０００８】
従来のボールジョイント構造６０において、一対の押圧体６１ａ、６１ｂのボール状端部材５４ｂ、５５ａの外周と対面する端面と、ボール状端部材５４ｂ、５５ａの外周との接触領域には、図６に示すように、断面円形等のＯリング６５を介在している。
【０００９】
そして、前記締め付け具６３により他方の押圧体６１ｂを一方の押圧体６１ａ側に締め付けたとき、押圧体６１ａの端面とＯリング６５との間、押圧体６１ｂの端面とＯリング６５との間の各摩擦力を利用して、これら相互間を固定状態とし、前記ヘッドアーム５５に取り付けた撮影補助機器を定位置となるように支持するようになっている。
【００１０】
しかしながら、上述した従来のアームシステム５１の場合、既述したように、ボールジョイント構造６０において押圧体６１ａの端面等との接触面積を十分に取れない前記Ｏリング６５による摩擦力を利用するものであるため、前記スライド固定ブラケット５３と両ボールアーム５４の一端間、及び、両ボールアーム５４の他端とヘッドアーム５５の一端間の各固定力が必ずしも十分でない。
【００１１】
この結果、大きい重量を有する撮影補助機器を前記アームシステム５１に取り付けたような場合、ボールジョイント構造６０の固定力がその重量に耐えられず、  撮影補助機器を定位置で保持固定することができなくなって水中撮影を円滑に遂行できなくなるという不都合が生じてしまう。
【００１２】
特許文献１には、例えば水中カメラに対して、補助的に照明器具等を取り付けるための支持アームシステムが開示されている。
【００１３】
この特許文献１の支持アームシステムは、ベースプレート、アーム間をユニバーサルジョイントを使用して連結するものであるが、やはり大きい重量を有する撮影補助機器を定位置で保持固定するような対策は講じられていない。
【特許文献１】特開平１１−２３７６８９号公報
【発明の開示】
【発明が解決しようとする課題】
【００１４】
本発明が解決しようとする問題点は、ボールジョイント構造の耐重量性が高く、大きい重量を有する撮影補助機器を取り付けた場合でも、その撮影補助機器を定位置で安定保持し得るようなボールジョイント構造を備える水中撮影機器用アームシステムが存在しない点である。
【課題を解決するための手段】
【００１５】
本発明は、水中カメラ、カメラ内蔵ハウジング等の水中撮影機器の底部に固定取り付けするベースプレートと、前記ベースプレートの端部にスライド可能に締め付け取り付けるとともに、一端からボール状端部材を突出させたスライド固定ブラケットと、両端にボール状端部材を具備し、スライド固定ブラケットに一端を回転・固定可能なボールジョイント構造で連結される両ボールアームと、一端にボール状端部材を、他端に照明器具連結部を具備し、前記両ボールアームの他端に一端側を回転・固定可能なボールジョイント構造で連結される撮影補助機器用取り付け用のヘッドアームと、を有するボールジョイント構造を備える水中撮影機器用アームシステムであって、前記ボールジョイント構造は、連結すべき前記一対のボール状端部材を一定間隔を隔てつつ外側から対向配置で挟み込むとともに、前記ボール状端部材の外周に接触させる硬質ゴムからなる面状押圧部材を保持した一対の押圧体と、前記一対の押圧体に貫通配置した貫通ネジ体と、前記貫通ネジ体のネジ部に螺合し、前記一対の押圧体を一対のボール状端部材を挟み込む状態で締め付けて、前記各面状押圧部材を一対のボール状端部材に押圧接触させる締め付け具と、を有することを最も主要な特徴とする。
【発明の効果】
【００１６】
請求項１、２記載の発明によれば、押圧体に設けた硬質ゴムからなる面状押圧部材とボール状端部材の外周との間の接触面積が大きいことから摩擦力が大きくなって耐重量性が高くなり、アームにより支持する例えば水中撮影機器等のような対象物を定位置に安定して支持することが可能なボールジョイント構造を提供することができる。また、一対の押圧体に離間する方向の付勢力を与えるバネ体を付加した構成とすれば、締め付け具を緩めて一対の押圧体を離間させ、一対のアームの位置を調整する際等の操作が容易となる。
【００１７】
請求項３、４記載の発明によれば、押圧体に設けた硬質ゴムからなる面状押圧部材とボール状端部材の外周との間の接触面積が大きいことから摩擦力が大きくなってボールジョイント構造自体の耐重量性が高いため、大きい重量を有する撮影補助機器を取り付けた場合でも、その撮影補助機器を定位置で安定保持し得るようなボールジョイント構造を備える水中撮影機器用アームシステムを提供することができる。また、一対の押圧体に離間する方向の付勢力を与えるバネ体を付加した構成とすれば、締め付け具を緩めて一対の押圧体を離間させ、一対のアームの位置を調整して撮影補助機器の水中撮影機器に対する位置を変更する場合等の操作が容易となる。
【発明を実施するための最良の形態】
【００１８】
本発明は、ボールジョイント構造の耐重量性が高く、大きい重量を有する撮影補助機器を取り付けた場合でも、その撮影補助機器を定位置で安定保持し得るようなボールジョイント構造を備える水中撮影機器用アームシステムを提供するという目的を有するものである。
【００１９】
本発明は、水中カメラ、カメラ内蔵ハウジング等の水中撮影機器の底部に固定取り付けするベースプレートと、前記ベースプレートの端部にスライド可能に締め付け取り付けるとともに、一端からボール状端部材を突出させたスライド固定ブラケットと、両端にボール状端部材を具備し、スライド固定ブラケットに一端を回転・固定可能なボールジョイント構造で連結される両ボールアームと、一端にボール状端部材を、他端に照明器具連結部を具備し、前記両ボールアームの他端に一端側を回転・固定可能なボールジョイント構造で連結される撮影補助機器用取り付け用のヘッドアームと、を有するボールジョイント構造を備える水中撮影機器用アームシステムであって、前記ボールジョイント構造は、連結すべき一対のボール状端部材を一定間隔を隔てつつ外側から対向配置で挟み込むとともに、前記ボール状端部材の外周に接触させる硬質ゴムからなる面状押圧部材を保持した一対の押圧体と、前記一対の押圧体の中央部に対応配置に設けた孔部を貫通し、頭部を一方の押圧体の外面に当接させ、ネジ部先端側を他方の押圧体より外方に突出させる貫通ネジ体と、前記貫通ネジ体のネジ部に螺合し、前記他方の押圧体を一方の押圧体側に締め付けて前記各面状押圧部材を一対のボール状端部材に押圧接触させる締め付け具と、前記一対の押圧体の間に配置され、一対の押圧体に離間する方向の付勢力を与えるバネ体と、を有する構成により上記目的を実現した。
【実施例】
【００２０】
以下に、本発明の実施例に係るボールジョイント構造を備える水中撮影機器用アームシステムについて図１乃至図３を参照して詳細に説明する。
【００２１】
本実施例に係るボールジョイント構造２０を備える水中撮影機器用アームシステム１は、図１に示すように、水中カメラ、カメラ内蔵ハウジング等の水中撮影機器３０の底部に固定取り付けするベースプレート２と、前記ベースプレート２の端部にスライド可能に締め付け取り付けるとともに、一端からボール状端部材３ａを突出させたスライド固定ブラケット３と、両端にボール状端部材４ａ、４ｂを具備し、スライド固定ブラケット３に一端を回転・固定可能なボールジョイント構造２０で連結される両ボールアーム４と、一端にボール状端部材５ａを、他端に照明器具連結部５ｂを具備し、前記両ボールアーム４の他端に一端側を回転・固定可能なボールジョイント構造２０で連結される外部ストロボ、ターゲットライト、さらにはビデオライト等の撮影補助機器３１の取り付け部材であるヘッドアーム５と、を有している。
【００２２】
前記両ボールアーム４の他端と、ヘッドアーム５の一端とを連結するボールジョイント構造２０の具体例を図２、図３に拡大して示す。
【００２３】
このボールジョイント構造２０は、図２、図３に示すように、連結すべき一対のボール状端部材４ｂ、５ａを一定間隔を隔てつつ外側から対向配置で挟み込むとともに、前記ボール状端部材４ｂ、５ａの外周に接触させる例えば四角板状の一対の押圧体６ａ、６ｂと、前記一対の押圧体６ａ、６ｂの中央部に対応配置に設けた孔部を貫通し、頭部を一方の押圧体６ａの外面に抜け不能状態で当接させ、ネジ部８の先端側を他方の押圧体６ｂより外方に突出させる貫通ネジ体７と、前記貫通ネジ体７のネジ部８に螺合し、前記他方の押圧体６ｂを一方の押圧体６ａ側に締め付けて、一対のボール状端部材４ｂ、５ａを一対の押圧体６ａ、６ｂに固定締め付けする円筒摘まみ状の締め付け具９と、前記一対の押圧体６ａ、６ｂの間に配置され、一対の押圧体６ａ、６ｂに離間する方向の付勢力を与える例えばコイルバネからなるバネ体１０と、を有している。
【００２４】
前記スライド固定ブラケット３、両ボールアーム４の一端間のボールジョイント構造２０も上述した場合と同様な構成としている。
【００２５】
前記ボールジョイント構造２０において、前記一対の押圧体６ａ、６ｂにおける前記ボール状端部材４ｂ、５ａの外周と対面する各端面側には、図３に示すように、前記ボール状端部材４ｂ、５ａの外周に摩擦接触させる例えばアクリルニトリルブタジエンゴム（ＮＢＲ）等の硬質ゴムからなり、ボール状端部材４ｂ、５ａ側の面を球面状とした面状押圧部材６ｃ、６ｄが各々前記ボール状端部材４ｂ、５ａの間隔に対応する配置で各々２個ずつ嵌着されている。
【００２６】
次に、本実施例のボールジョイント構造２０を備える水中撮影機器用アームシステム１の作用、効果について、前記ボールジョイント構造２０の耐重量性の点を主として説明する。
【００２７】
本実施例のボールジョイント構造２０を備える水中撮影機器用アームシステム１によれば、一対の押圧体６ａ、６ｂに各々設けた硬質ゴムからなる２個ずつの面状押圧部材６ｃ、６ｄと、一対のボール状端部材４ｂ、５ａの外周との間の摩擦力が、その接触面積が広いことに伴って各々従来のＯリングを使用した構造に比べて格段に大きく、これにより、ボールジョイント構造２０自体の耐重量性が従来例に比べ格段に高くなる。
【００２８】
この結果、前記ボールジョイント構造２０を備える水中撮影機器用アームシステム１を水中カメラ、カメラ内蔵ハウジング等の水中撮影機器３０に取り付け、かつ、前記ヘッドアーム５に対して、大きい重量を有する外部ストロボ、ターゲットライト等を取り付けて２箇所のボールジョイント構造２０により両ボールアーム４、ヘッドアーム５を所望の角度配置とした状態で水中撮影を実施する場合においても、外部ストロボ、ターゲットライト等を水中撮影機器３０に対して定位置で安定保持することが可能となる。
【００２９】
すなわち、外部ストロボ、ターゲットライト等を水中撮影機器３０に対して定位置で安定保持しつつ魚類等の被写体に対する水中撮影を円滑に遂行することができる。
【００３０】
また、前記ボールジョイント構造２０は、一対の押圧体６ａ、６ｂに離間する方向の付勢力を与えるバネ体１０を備えているので、前記締め付け具９を緩めて一対の押圧体６ａ、６ｂを離間させ、例えば前記両ボールアーム４、ヘッドアーム５の位置を調整して外部ストロボ、ターゲットライト等の水中撮影機器３０に対する位置を変更調整する場合等のカメラマンの操作が容易、簡略となる。
【００３１】
上述した実施例では、水中撮影機器３０の片側に両ボールアーム４、ヘッドアーム５を配置するシングル構成について説明したが、これに限らず、水中撮影機器３０の両側に両ボールアーム４、ヘッドアーム５を各々配置するダブル構成のアームシステムとすることももちろん可能である。
【００３２】
また、上述した実施例では、２個のボールジョイント構造を備えるアームシステムについて説明したが、単一の（１個の）ボールジョイント構造を備えるより簡略構成のアームシステムとすることももちろん可能である。
【産業上の利用可能性】
【００３３】
本発明のボールジョイント構造を備えるアームシステムは、水中撮影機器用としてはもちろんのこと、陸上撮影を行なうスチールカメラ、ビデオカメラ等用としても広範に応用可能である。さらには、アーム同士を回動・固定可能に連結する機構要素におけるボールジョイント構造としても応用可能である。
【図面の簡単な説明】
【００３４】
【図１】本発明の実施例に係るボールジョイント構造を備えるアームシステムの全体を示す概略図である。
【図２】本実施例に係るボールジョイント構造の部分拡大図である。
【図３】図２のＡ−Ａ線断面図である。
【図４】従来のボールジョイント構造を備えるアームシステムの全体を示す概略図である。
【図５】従来のボールジョイント構造の部分拡大図である。
【図６】図５のＢ−Ｂ線断面図である。
【符号の説明】
【００３５】
１    水中撮影機器用アームシステム
２    ベースプレート
３    スライド固定ブラケット
３ａ  ボール状端部材
４    両ボールアーム
４ａ  ボール状端部材
４ｂ  ボール状端部材
５    ヘッドアーム
５ａ  ボール状端部材
５ｂ  照明器具連結部
６ａ  押圧体
６ｂ  押圧体
６ｃ  面状押圧部材
６ｄ  面状押圧部材
７    貫通ネジ体
８    ネジ部
９    締め付け具
１０    バネ体
２０    ボールジョイント構造
３０    水中撮影機器
３１    撮影補助機器
【図１】
2009288594.tif 000003
【図２】
2009288594.tif 000004
【図３】
2009288594.tif 000005
【図４】
2009288594.tif 000006
【図５】
2009288594.tif 000007
【図６】
2009288594.tif 000008